Podtech/llm-jp-corpus-v4-ja_patent huggingface dataset:
(57)【要約】      （修正有）【課題】電車やバスの吊革に付着しているウイルスに感染するおそれを予防する補助具を提供する。【解決手段】全体を段ボールなどの紙によって構成する適当大きさと形状に成る本体１からなり、中間折曲部３を介して上下両側部に平板部２を形成し、両平板部には手掛け用の抜き孔部４と吊革への掛止め孔部５とをそれぞれ設け、上下平板部の両側端部にそれぞれ設けた側端折込部７を曲折合体時に接着し、上下平板部の外端部にそれぞれ設けた外端折込部９を曲折合体時に接着し、全体を立体的に構成して成る。【選択図】図１
0003227295.tif 000002
【実用新案登録請求の範囲】
【請求項１】
全体を段ボールなどの紙によって構成する適当大きさと形状に成る本体において、中間折曲部を介して上下両側部に平板部を形成し、この両平板部には手掛け用の抜き孔部と吊革への掛止め孔部とをそれぞれ設け、前記上下平板部の両側端部にそれぞれ設けた側端折込部を曲折合体時に接着し、前記上下平板部の外端部にそれぞれ設けた外端折込部を曲折合体時に接着し、全体を立体的に構成して成ることを特徴とする吊革用補助具。
【考案の詳細な説明】
【技術分野】
【０００１】
本考案は、電車やバス等に乗車した際に使用する携帯用の吊革用補助具に関するものである。
【背景技術】
【０００２】
比較的乗客数の多い時間帯の電車やバスに乗った人々は、天井面から吊り下げられている吊革に手袋を着用せずに直接接触する者が殆どであるから、吊革に付着しているウイルスに感染するおそれがあることに鑑み、それを予防するための補助具を提供することを目的とする。
【０００３】
そこで、そのようなことを目的とする吊革用補助具に関して調査すると、次のような部材が公知となっているところ、本考案の技術的思想とは全く別異のものである。
【先行技術文献】
【特許文献】
【０００４】
【特許文献１】登録実用新案第３０３６４６４号公報
【特許文献２】登録実用新案第３１８１００３号公報
【特許文献３】特開平１１−９９８６８号公報
【特許文献４】特開２０１１−４６３５１号公報
【特許文献５】特開２０１８−１３１０３４号公報
【０００５】
特許文献１はそれ自体が携帯用取手であり、収納ケース内に収納したビニールベルトを乗車時に引伸ばしてパイプに掛け止めて使用するものである。
【０００６】
特許文献２は吊革の持ち手の握り箇所が直線形でも曲線形でも使用できるというものである。
【０００７】
特許文献３はつなぎ部分の一方部に取付け部材を他方部に握り部分を設けているものである。
【０００８】
特許文献４は移動体の吊革に対して着脱操作が容易で携帯性に優れているというものである。
【０００９】
特許文献５は吊革に直接装着するものであり、吊革に直接触れずに吊革を使用できるというものである。
【００１０】
しかしながら、いずれもコストが高価な部材であり、使い捨ての類いのものではないのである。
【考案の概要】
【考案が解決しようとする課題】
【００１１】
本考案は、前記の予防目的を達成するための安全かつ安価な吊革用補助具を提供することを目的とするものである。
【課題を解決するための手段】
【００１２】
本考案は、全体を段ボールなどの紙によって構成する適当大きさと形状に成る本体において、中間折曲部を介して上下両側部に平板部を形成し、この両平板部には手掛け用の抜き孔部と吊革への掛止め孔部とをそれぞれ設け、前記上下平板部の両側端部にそれぞれ設けた側端折込部を曲折合体時に接着し、前記上下平板部の外端部にそれぞれ設けた外端折込部を曲折合体時に接着し、全体を立体的に構成して成るものである。
【考案の効果】
【００１３】
本物品自体は軽量であるから、外出時には１個又は２個を洋服ポケットやカバン等に収容しておき、バスや電車の乗車時に立っていなければならない時には吊革に掛け止めるとともにその補助具に手を掛けて使用することができるのであり、きわめて便利なものである。
【００１４】
本物品は段ボールなどの紙を使用しているから、きわめてコスト安価に製作することができるのであり、また用済みとなれば掛け手を本体から直ちに離しておくことができるのである。
【図面の簡単な説明】
【００１５】
【図１】本物品の組立前の展開図
【図２】本物品の組立後の斜視図
【考案を実施するための形態】
【００１６】
本体の全体は、段ボールなどの紙によって適当大きさと形状に切削構成した左右両側部の平板部を中間折曲部を介して合体するとともに各平板部の左右両側部と下端部とを接着して構成した物品となるものであるから、段ボールなどの紙であっても全体が立体感に溢れ、軽量でバランスよく人体を吊革に保持することができるようになるのである。
【実施例】
【００１７】
１は全体が段ボールなどの紙によって適当大きさと形状に成形して成る本体で、この本体は紙製であるから紙材を組立てて構成するものであるが、その強度は人間の体重を保持し得るものではなく、手をかけて把持した際にバランスを保ち、空間を確保するための形態仕様になるものでよいのである。
【００１８】
２，２は前記本体１がその中間折曲部３を介して左右両側部に設けた平板部で、この各平板部には手掛けのための抜き孔部４，４と吊革への掛止め孔部５，５とをそれぞれ設けている。
【００１９】
前記抜き孔部４，４の各底辺部には折り込みし得るのりしろ巾部６，６を設け、組立て時には接着して成るものである。
【００２０】
７，７は前記左右の平板部２，２の側端部にのりしろ巾部８，８を介して設けた側端折込部で、この両側端折込部は合体時には接着して成る。
【００２１】
９，９は前記上下に位置する平板部２，２の外端部にのりしろ巾部１０，１０を介して設けた外端折込部で、この両外端折込部は合体時には接着して成る。
【符号の説明】
【００２２】
１                            本体
２，２                        平板部
３                            中間折曲部
４，４                        抜き孔部
５，５                        掛止め孔部
６，６                        のりしろ巾部
７，７                        側端折込部
８，８                        のりしろ巾部
９，９                        外端折込部
１０，１０                    のりしろ巾部
【図１】
0003227295.tif 000003
【図２】
0003227295.tif 000004
【手続補正書】
【提出日】令和2年6月15日(2020.6.15)
【手続補正１】
【補正対象書類名】明細書
【補正対象項目名】００１５
【補正方法】変更
【補正の内容】
【００１５】
【図１】本物品の組立前の展開図
【図２】本物品の組立後の斜視図
【図３】本物品の一使用状態図
【手続補正２】
【補正対象書類名】図面
【補正対象項目名】図３
【補正方法】追加
【補正の内容】
【図３】
0003227295.tif 000005
(57)【要約】      （修正有）【課題】紙不足に対応し、包帯の替わりに応用できるマスクを提供する。【解決手段】８の字型に形成した三角形のゴム２と、包帯からなるマスク部１と、から構成され、マスク部の上にポケットを設けた。【選択図】図１
0003227213.tif 000002
【実用新案登録請求の範囲】
【請求項１】
三角形のゴムの形又は８の字のゴムと包帯から成るマスク部とから成る事を特徴とするマスク
【請求項２】
上にポケットが有る事を特徴とするマスク。
【考案の詳細な説明】
【技術分野】
【０００１】本考案は、包帯、ガーゼ、綿のマスクとそれを応用した包帯替わりの装着器具に関する物で有る。
【背景技術】
【０００２】紙不足の為、包帯、ガーゼ、綿で応用出来るマスクと包帯替わりの簡単に装着出来る、装着器具を探していた。
【先行技術文献】
【特許文献】
【０００３】
【特許文献１】特開平０５−９７５５１０号  公報
【考案の概要】
【０００４】
【考案が解決しようとする課題】
【０００５】
0003227213.tif 000003
しめつけられずに快適で有る。包帯より簡単に巻けて包帯替わりに成る。
【課題を解決するための手段】
【０００６】三角形のゴムの形、８の字型。三角布の法則でしっかり止まるマスク。包帯、ガーゼ、綿から成る事を特長とするマスクと鉄紙棒を使用した装着器具。上がポケットに成っている事を特徴とする包帯、ガーゼ、綿を詰めて厚みの調節、息の入れ替え具合を調節するマスク。マスクを応用して包帯替わりにする装着器具。使い捨てでは無い。
【考案の効果】
【０００７】洗濯する事で何回でもマスク、装着器具として利用出来る。応用は簡単にマスクを使って包帯、替わりに成る。
【図面の簡単な説明】
【０００８】
【図１】マスクの正面。
【図２】装着器具の裏側。
【考案を実施するための形態】
【０００９】マスクとして装着器具として使用する。装着器具は裏を鉄紙棒で巻いて止める。
【実施例】
【００１０】以下、添付図面に従って一実施例を説明する。
【産業上の利用可能性】
【００１１】
【符号の説明】
【００１２】１マスク本体  ２ゴム  ３鉄紙棒  ４ガーゼ１周
【配列表フリーテキスト】
【図１】
0003227213.tif 000004
【図２】
0003227213.tif 000005
(57)【要約】      （修正有）【課題】車輪径が小径の場合でも樽型ローラーの保守等が簡素化され、設備に応じた小型化、薄型化が可能となり、樽型ローラーや回転軸の各部品の交換が容易となる車輪を提供する。【解決手段】樽型ローラー１の回転軸の外れ防止及び固定を目的とする金具４を設けた車輪１０であって、金具はＬ形に曲げられ２面を形成させた形で、１面はホイールの側面にネジ加工した部分にボルト５にて固定し、他の１面はホイールの円周上に加工された平面に明けられた樽型ローラーの回転軸用の穴をふさぐ形となっている。【選択図】図１
0003227162.tif 000002
【実用新案登録請求の範囲】
【請求項１】
樽型ローラーの回転軸の外れ防止及び固定を目的とする金具を設けた車輪であって、金具はＬ形に曲げられ２面を形成させた形で１面はホイールの側面にネジ加工した部分にボルトにて固定し他の１面はホイールの円周上に加工された平面に明けられた樽型ローラーの回転軸用の穴をふさぐ形となっていることを特徴とする車輪。
【考案の詳細な説明】
【技術分野】
【０００１】本考案は、キャスター、コンベア等における車輪に樽型ローラーの回転軸の外れ防止及び固定を目的とした金具を設けた車輪に関するものである。
【背景技術】
【０００２】キャスター、コンベア等の車輪において樽型ローラータイプの樽型ローラー回転軸は車輪径の大きいタイプの軸は抜け防止の頭の付いたピンを軸の両側の支持部で固定し各樽型ローラーそのものが回転しうる構造となっている、機械の設備や搬送及び台車の車輪に利用されている。また、車輪径の小さいタイプは樽型ローラーと回転軸と一対とした形で軸の両側の支持部で回転させてホビーや走行ロボット等に利用され機械の設備や搬送には適してない。
【考案の概要】
【考案が解決しようとする課題】
【０００３】車輪径によって樽型ローラーにおける回転軸の取り付け方がまちまちで大径のものは回転軸に取り付けのための加工が必要で小径の回転軸は軸の両側の軸支持部にて樽型ローラーと軸を一対とした形で軸を回転させている為  樽型ローラーや軸支持部の摩滅、破損した場合車輪本体そのものを交換する必要があった。
【課題を解決するための手段】
【０００４】樽型ローラーの回転軸の外れ防止及び固定を目的とする金具を設けた。樽型ローラーの回転軸の外れ防止及び固定を目的とする金具を設けた車輪であって、金具はＬ形に曲げられ２面を形成させた形で１面はホイールの側面にネジ加工した部分にボルトにて固定し他の１面はホイールの円周上に加工された平面に明けられた樽型ローラーの回転軸用の穴をふさぐ形となっていることを特徴とする。
【考案の効果】
【０００５】上述のように、本考案の車輪は樽型ローラーの回転軸の外れ防止及び固定を目的とした金具を設けることにより車輪径が小径の場合でも樽型ローラーの保守等が簡素化され設備に応じた小型化、薄型化が可能となり樽型ローラーや回転軸の各部品の交換が容易となる為コストダウンも可能となる車輪である。
走行台車の車輪、コンベアの搬送用ローラー、走行ロボットの車輪、買い物カート用車輪、ホビー等に応用可能である。
【図面の簡単な説明】
【０００６】
【図１】車輪の斜視図である。
【図２】車輪の正面図である。
【図３】車輪の正面を断面（Ａ−Ａ）図である。
【図４】車輪の横左断面（Ｂ−Ｂ）図である。
【図５】車輪の横右断面（Ｃ−Ｃ）図である。
【考案を実施する為の形態】
樽型ローラーの回転軸の外れ防止及び固定を目的とする金具を設けた。樽型ローラーの回転軸の外れ防止及び固定を目的とする金具を設けた車輪であって、金具はＬ形に曲げられ２面を形成させた形で１面はホイールの側面にネジ加工した部分にボルトにて固定し他の１面はホイールの円周上に加工された平面に明けられた樽型ローラーの回転軸用の穴をふさぐ形となっていることを特徴とする車輪。
【実施例】
【０００７】図１で１は樽型ローラーで車輪の回転方向に対し両側に３対ずつ  円周等分に位相を変えた形で配置されている。
３は車輪のベースとなるホイールで樽型ローラー１の回転軸を支持するものである。４は回転軸の外れ防止及び固定を目的としたＬ形に曲げられた金具である。５は金具４を固定するボルトである。
図２は車輪の正面図で車輪のベースとなるホイール３は樽型ローラー１を配置する為、車輪の回転方向に対し両側に３対ずつ溝を円周等分に位相を変えた形で設定されていて合計６対の樽型ローラー１で構成されている。４は回転軸のはずれ防止及び固定を目的とした金具でボルト５にて固定されている。
図３は図２における断面図（Ａ−Ａ）で樽型ローラー１の回転方向を示した図である。車輪の回転方向に対し横方向に回転する為自在に車輪の進行方向を変えることが可能となっている。
２は回転軸の断面でホイール３に対し金具４とボルト５の取り付けを示す。
図４は図３における車輪回転方向の左片側断面（Ｂ−Ｂ）で樽型ローラー１の１対がホイール３の上に位置する形で円周等分に配置された状態を示す。２は回転軸、６は樽型ローラー１がスムーズに回転出来る様にした無潤滑軸受けである。
４は回転軸２の外れ防止及び固定を目的とした金具である。
図５は図３における車輪回転方向の右片側断面（Ｃ−Ｃ）で樽型ローラー１の１対がホイール３下に位置する形で円周等分に配置された状態を示す。２は回転軸、６は樽型ローラー１がスムーズに回転出来る様にした無潤滑軸受けである。
このように図１から図５により走行台車の車輪、コンベアの搬送ローラー、走行ロボットの車輪、買い物カート用車輪、ホビー等に応用可能である。
【符号の説明】
【０００８】１  樽型ローラー
２  回転軸
３  ホイール
４  軸外れ防止金具
５  軸外れ防止金具取り付けボルト
６  無潤滑軸受け
１０  車輪
【図１】
0003227162.tif 000003
【図２】
0003227162.tif 000004
【図３】
0003227162.tif 000005
【図４】
0003227162.tif 000006
【図５】
0003227162.tif 000007
(57)【要約】      （修正有）【課題】郵送時の封筒の折れ曲がり防止の台紙としても使用できるカードスタンドを提供する。【解決手段】カードスタンドは、１枚の紙で構成され、支持部を構成するための切り込みを有する第１の部分１０１と、カードを保持するための切り込みを有する第２の部分１０２と、第３の部分１０３とを含み、第１の部分と第２の部分と第３の部分とは折り目で区切られている。第１の部分と第３の部分にはカードスタンドの形状を維持するために相互に係合する切り込み１０６、１０７が設けられていることが望ましい。また、カードスタンドは３つ折りにした時に長３封筒に収まるサイズであることが望ましい。【選択図】図１
0003227169.tif 000002
【実用新案登録請求の範囲】
【請求項１】
1枚の紙で構成され、
支持部を構成するための切り込みを有する第１の部分と、
カードを保持するための切り込みを有する第2の部分と、
第3の部分とを含み、
前記第１の部分と前記第２の部分と前記第3の部分とは折り目で区切られているカードスタンド。
【請求項２】
前記第１の部分と前記第３の部分は相互に係合する切り込みが設けられている請求項１に記載のカードスタンド。
【請求項３】
３つ折りにした時のサイズが略２３５ミリメートル×１２０ミリメートルである請求項１または請求項２に記載のカードスタンド。
【考案の詳細な説明】
【技術分野】
【０００１】
本考案は、カードを飾るために使用できるスタンドに関する。
【背景技術】
【０００２】
企業がプリペイドカードなどの名刺大のカードを購入者に郵送することがある。この場合、郵送中に封筒内でカードが折り曲がることを防ぐためにある程度の厚さの台紙が使用されることが通常である。一方、希少価値のあるカード（たとえば、限定発売のカード、芸能人の公式商品であるオリジナルカード）の場合、カードを机上等に飾って楽しむニーズがある。
【０００３】
郵送時の封筒の台紙とカードを机上に飾るためのスタンドを共用できれば無駄なゴミが発生せず、コストを最小化できる。紙製の折りたたみ式カードスタンドは公知であるが（たとえば、特許文献１）、郵送時については考慮されていなかった。
【先行技術文献】
【特許文献】
【０００４】
【特許文献１】実用新案登録第３０８４１７９号
【考案の概要】
【考案が解決しようとする課題】
【０００５】
郵送時の封筒の台紙としても使用できるカードスタンドを提供する。
【課題を解決するための手段】
【０００６】
本願考案は、1枚の紙で構成され、支持部を構成するための切り込みを有する第１の部分と、カードを保持するための切り込みを有する第2の部分と、第3の部分とを含み、第１の部分と第２の部分と第3の部分とは折り目で区切られているカードスタンドを提供することで上記課題を解決する。
【０００７】
また、本願考案は、前記第１の部分と前記第３の部分は相互に係合する切り込みが設けられている段落０００６に記載のカードスタンドを提供することで上記課題を解決する。
【０００８】
また、本願考案は、３つ折りにした時のサイズが略２３５ミリメートル×１２０ミリメートルである段落０００６または段落０００７に記載のカードスタンドを提供することで上記課題を解決する。
【考案の効果】
【０００９】
郵送時の封筒の台紙としても使用できるカードスタンドが提供される。
【図面の簡単な説明】
【００１０】
【図１】本願考案に係るカードスタンドの初期状態を示す図である。
【図２】本願考案に係るカードスタンドの組み立て方を示す図である。
【考案を実施するための形態】
【００１１】
図１に本願考案に係るカードスタンドの初期状態を示す。カードスタンドは、1枚の紙から構成されていることが望ましい。紙は、郵送時の折れ曲がりを防ぎ、かつ、スタンドとして使用した時に安定するようにするために、ある程度の厚みがあることが望ましい。
【００１２】
図1において、破線は折り目を表わし、実線は切り込みを表わす。カードスタンドは、３つ折りするための折り目が事前に施されていることが望ましく、３つ折りにした時に定型郵便物の封筒（特に、定形郵便物最大のサイズである長形3号の封筒サイズ120ミリメートル×235ミリメートル）に収まるサイズであることが望ましい。折れ線によって区切られることで生じる第１の部分（１０１）には、折り起こすことでカードスタンドを立てておくための支持部（１０４）が含まれる。折れ線によって区切られることで生じる第２の部分（１０２）には、カードを保持するためのカード保持切り込み（１０５）が含まれる。折れ線によって区切られることで生じる第３の部分（１０３）には、第１の切り込み（１０７）があり、第１の部分（１０１）に設けられた第2の切り込み（１０６）とかみ合わせることで、カードスタンドの形状を維持できるようになっていることが望ましい。カードスタンドの表面は机上に飾った場合の装飾となるデザインや文字が施されていることが望ましい。カードスタンドの裏面は机上に飾った場合には使用者から見えないことから、組み立て方の説明文や、カード販売者による挨拶文等を印刷しておくことが望ましい。
【００１３】
カードスタンドを三つ折りにすることで、定形郵便物の封筒に収め、郵送中のカードの折れ曲がり防止の台紙として使用できる。封筒は透明なもの（たとえば、OPP袋）であることが望ましく、宛名ラベルを貼って使用してよい。この場合、カードを保持する部分（第2の部分（１０２））が外部から見えないように折りたたみ、郵送中にカードが外部から見えないようにすることが望ましい。
【００１４】
図２に示す組み立て方法により、カードスタンドを組み立て、机上に置くことができ、カード購入者（受領者）は、カードを装飾品として楽しむことができる。組み立てに道具は不要であり、余分な廃棄物が出ることもない。また、製造コストについても、通常の台紙と比較した追加コストはわずかである。
【図１】
0003227169.tif 000003
【図２】
0003227169.tif 000004
(57)【要約】      （修正有）【課題】危険を伴う建設現場での荷揚げ作業が安全に効率よく進めることができる吊り上げ具を提供する。【解決手段】長尺部材１の荷揚において、端部から部材が滑り落ちるのを防止するために両端にバケット３を配置しそのバケットにロープ通しを設けそこに荷揚用ロープ２を通し固定しながら荷揚し安全を確保する。【選択図】図１
0003227178.tif 000002
【実用新案登録請求の範囲】
【請求項１】
長尺で多数で束になる部材を荷揚げに使用する吊り上げロープ通しを付けたカマボコ型のバケットを両側に配置する吊り上げ具。
【請求項２】
開口をかまぼこ型にしたバケット型の吊り具。
【考案の詳細な説明】
【技術分野】
【０００１】  本考案は，長尺で束になった部材を安全に吊り上げる吊り具に関するものである。
【背景技術】
【０００２】従来は、長尺で束になった部材の両端をロープで固定し吊り上げていたが、束の内側から滑り落ちる事故が見受けられ、それを防止するため両端をバケットで保持することを考える。
【先行技術文献】
【特許文献】
【０００３】
【特許文献１】特許第６２１５４２２
【考案の概要】
【考案が解決しようとする課題】
【０００４】  クレーンで吊り上げる部材が滑り落ちる事故が発生し危険なため、滑り落ちを防止し安全に吊り上げることで解決しようとするものである。
【課題を解決するための手段】
【０００５】本案は、長尺の荷揚部材の両端にバケットをかぶせバケットを固定しながら部材が端から滑り落ちるのを防止しようとするロープ通し付きバケット吊り具。
【考案の効果】
【０００６】本考案の吊り具は、吊り上げる部材の横からの滑り落ちを防止し部材落下の危険を防ぐ。
【図面の簡単な説明】
【０００７】
【図１】  本考案実施例の全体図である。
【図２】  本考案のカマボコ型バスケットの図である。
【考案を実施するための形態】
【０００７】長尺部材を吊り上げる前に部材の両端にバケットをかぶせ、そのバケットに設置されている吊り上げ用ロープ通しにロープを配置し吊り上げる。
【実施例】
【０００８】  以下、添付図面に従って一実施例を説明する。１は吊り上げる長尺で束になった部材、２は吊り上げるためのロープでバケットのロープ通しに通したもの。３はロープ通しを設置したカマボコ型のバケット。【０００９】荷揚部材の両側にバケットをかぶせ、ロープ通しに吊り上げのためにロープを通しそのロープの先端を荷揚げ用クレーンの先端フック掛け荷揚げする。【００１０】  この実施例で部材が端から滑り落ちず安全に吊り上げ事故を防止する。
【符号の説明】  １．荷揚げする長尺部材
２．吊り上げるためのロープ
３．カマボク型の荷揚用バケット
４．吊り上げ用ロープを通すガイド
【図１】
0003227178.tif 000003
【図２】
0003227178.tif 000004
(57)【要約】      （修正有）【課題】運転者がアクセルペダル、ブレーキペダル、及び運転者の足を、視認できるようにすることによって、ペダル操作の誤りに起因する事故を防止するデジタルカメラ及び液晶モニターの組合せを提供する。【解決手段】アクセルペダル、ブレーキペダル及び運転者の足を撮影するデジタルカメラ１及び、該デジタルカメラが撮影した画像を表示する液晶モニター３の組合せであって、該運転者が、自動車を前進させるために前方を視る必要があるときに該運転者が視認できる前方の箇所に液晶モニターが設置され、運転者が、自動車を後進させるために後方を振り向く必要があるときに該運転者が視認できる後方の箇所に別の液晶モニターが設置される。【選択図】図１
0003227177.tif 000002
【実用新案登録請求の範囲】
【請求項１】
アクセルペダル、ブレーキペダル及び運転者の足を撮影した画像を表示する、運転者が視認できる前方の箇所に設置される表示装置。
【請求項２】
運転者が、自動車を後進させるなどのために後方を振り向く必要があるときにも、アクセルペダル、ブレーキペダル及び運転者の足を撮影した画像を表示する、運転者が視認できる後方の箇所に設置される表示装置。
【考案の詳細な説明】
【技術分野】
【０００１】  この発明は、自動車の運転者の運転中のアクセルペダル及びブレーキペダルの踏み間違いによる事故を防止するためのモニターに関する。
【背景技術】
【０００２】  従来の自動車は、アクセルペダル及びブレーキペダルは、インストルメンタルパネル及びステアリングホイール等に遮られて、運転者が視認することができなかった。
【考案の概要】
【考案が解決しようとする課題】
【０００３】  運転者が視認できないアクセルペダル及びブレーキペダルを、運転者の足の感覚に頼って操作することが求められるために、しばしばペダル操作の誤りに起因する事故が発生する。
従って、本考案は、運転者が、アクセルペダル、ブレーキペダル及び運転者の足を視認できるようにすることによって前述の欠点を解決しようとするものである。
【課題を解決するための手段】
【０００４】  本考案は、アクセルペダル、ブレーキペダル及び運転者の足を撮影した画像を表示する表示装置を運転者が視認できる前方の箇所に設置することにより、且つ、運転者が、自動車を後進させるなどのために後方を振り向く必要があるときにも、もう１個の該表示装置を運転者が視認できる後方の箇所に設置することにより問題点を解決している。
【考案の効果】
【０００５】  本考案によれば、運転者がアクセルペダル及びブレーキペダルを、足の感覚のみに頼って操作するのではなく、表示装置の画像によってアクセルペダル、ブレーキペダル及び足を視認しながら誤りなく操作することができる。
【図面の簡単な説明】
【図１】表示装置を前方の箇所に設置する本考案の一実施形態を示す斜視図である。
【図２】表示装置を後方の箇所に設置する本考案の一実施形態を示す斜視図である。
【考案を実施するための形態】
【０００６】  表示装置を前方の箇所に設置する本考案の一実施形態を図１に示す。アクセルペダル、ブレーキペダル及び運転者の足を撮影するためのデジタルカメラ１が撮影した画像を、電気信号に変換し電線２によって液晶モニター３に伝達する。送られた電気信号を液晶モニター３は、画像として表示する。液晶モニター３の画像によって、運転者は、アクセルペダル、ブレーキペダル及び運転者の足を視認することができる。
【０００７】  表示装置を後方の箇所に設置する本考案の一実施形態を図２に示す。アクセルペダル、ブレーキペダル及び運転者の足を撮影するためのデジタルカメラ１が撮影した画像を、電気信号に変換し電線４によって液晶モニター５に伝達する。送られた電気信号を液晶モニター５は、画像として表示する。液晶モニター５の画像によって、後方を振り向いた運転者は、アクセルペダル、ブレーキペダル及び運転者の足を視認することができる。
【符号の説明】
【０００８】  図１において、符号は次のとおりである。
１  デジタルカメラ    ２  電線    ３  液晶モニター【０００９】  図２において、符号は次のとおりである。
１  デジタルカメラ    ４  電線    ５  液晶モニター
【図１】
0003227177.tif 000003
【図２】
0003227177.tif 000004
【手続補正書】
【提出日】令和1年12月19日(2019.12.19)
【手続補正１】
【補正対象書類名】実用新案登録請求の範囲
【補正対象項目名】全文
【補正方法】変更
【補正の内容】
【実用新案登録請求の範囲】
【請求項１】
アクセルペダル、ブレーキペダル及び運転者の足を撮影するデジタルカメラ及び、該デジタルカメラが撮影した画像を表示する液晶モニターの組合せであって、該運転者が、自動車を前進させるために前方を視る必要があるときに該運転者が視認できる前方の箇所に液晶モニターが設置される、デジタルカメラ及び液晶モニターの組合せ。
【請求項２】
運転者が、自動車を後進させるために後方を振り向く必要があるときに該運転者が視認できる後方の箇所に液晶モニターが設置されることを特徴とする、請求項１記載のデジタルカメラ及び液晶モニターの組合せ。
(57)【要約】      （修正有）【課題】重量ある百科事典等の書籍の出し入れを容易にするブックケースを提供する。【解決手段】上面部、下面部、前面部、背面部、左側面部、及び、右側面部を有するブックケースであって、下面部ｆを下にして背面部ｃ（出し入れ口面）に向かって背面部が右側面部ｂから左側面部ａに向かって傾斜面を有し、上面部ｅと左側面部が接する辺長が上面部と右側面部が接する辺長の２／３であり、下面部と左側面部が接する辺長が下面部と右側面部が接する辺長の２／３である。ブックケース背面出し入れ口面を傾斜面にする事により、その面の面積を拡大することができ、ブックケースからの重量ある百科事典等、書籍の出し入れ時の不便さを少なくすることができる。【選択図】図１
0003227176.tif 000002
【実用新案登録請求の範囲】
【請求項１】
このブックケースは背面部出し入れ口面が左側面部に向かって傾斜面を有しており、それは左側面部が奥行きの背面部側より３分の１の長さと、背面部書籍出し入れ口面とが接する辺とで作られる長方形の面で切り取られていて、そこに新たな角を有していて、新たな角で上面部下面部においても傾斜面を有するブックケース。
【考案の詳細な説明】
【技術分野】
【０００１】本考案は、書籍収容する際のケース出し入れ口の形状を変えた、ブックケースに関するものである。
【背景技術】
【０００２】従来ブックケースは書籍の保護が最重要機能としてそれぞれが各面各辺ともほぼ同形の立方体をしている。
【考案の概要】
【考案が解決しようとする課題】
【０００３】しかし、ブックケース背面部と書籍の小口、背の部分がほぼ同形なため書籍が重量ある物であった場合、ブックケースからの出し入れには手間取ることがあった。【０００４】本考案はブックケースとして書籍保護の機能は保ちつつ書籍の取り出しやすさの向上と納本のしやすさの向上を図るべく構成したものである。
【課題を解決するための手段】
【０００５】このブックケースは背面部出し入れ口面が左側面部に向かって傾斜面を有しており、それは左側面部が奥行きの背面部側より３分の１の長さと、背面部書籍出し入れ口面とが接する辺とで作られる長方形の面で切り取られていて、そこに新たな角を有していて、新たな角で上面部下面部においても傾斜面を有するブックケース。
【考案の効果】
【０００６】本考案は、ブックケース背面を斜面にすることでその面積の拡大をはかり書籍の出し入れを従来よりも容易にすることができ、左右どちらかの側面部での縮小が必要になるが、書籍の保護は十分果たせる範囲内での縮小である。
【考案を実施するための最良の形態】
【０００７】以下、本考案の実施例を説明する。書籍のケースからの取り出し時、利き腕によって右利きの者には左側面部を縮小させた左側面へ向かっての傾斜面を持つ背面取り出し口がより便利であり、左利きの者にはその逆が便利である。【０００９】よって、本案件では背面出し入れ口面の左右傾斜方向の向きは、左右側面部どちらの面においてでも縮小が可能であることから、一側に限定するものではない。
【実施例】
【００１０】以下図に基づいて本考案の実施形態を説明する。
図１は実施形態、図２はその展開図である。
図１は右側面部を下にして置かれている。面が縮小された左側面部は上になっている。【００１１】左側面部面奥行き２と４、１と３が右側面の６と８、５と７に比べて３分の１短くすることで背面出し入れ口面ｃが傾斜を有し幅はブックケ―ス左側面部と背面部が垂直に接する箱型の時に比べて約１．６倍から約２．０倍になる。【００１２】側面部を３分の１短縮する意義は、本来の書籍保護としてブックケースの役割を担い、且つ書籍の出し入れを容易にする最大の範囲である。【００１３】そして背面部ｃの面積は傾斜面になることで、従来の箱型の物と比べて約１．６倍から約１．８倍に拡大される。尚、背面部幅の長さ、又面積拡大時の比率範囲が一定しないのはブックケース外形のサイズによるものである。
【産業上の利用可能性】
【００１４】ブックケース背面部が傾斜面になり面積が従来の物の背面部の約１．８倍になることで、重量ある書籍のブックケースからの出し入れに不便を感じていた高齢、年少又は身体に不自由ある読者の負担を軽減するものとなる。
【図面の簡単な説明】
【００１５】
【図１】本考案ブックケース実施形態斜視図である。
【図２】本考案ブックケース実施形態展開図である。
【符号の説明】
【００１６】ａ：左側面部  ｂ：右側面部  ｃ：背面部（出し入れ口面）
ｄ：前面部  ｅ：上面部  ｆ：下面部
１〜８は各面部の角を表記
【図１】
0003227176.tif 000003
【図２】
0003227176.tif 000004
【手続補正書】
【提出日】令和1年10月29日(2019.10.29)
【手続補正１】
【補正対象書類名】実用新案登録請求の範囲
【補正対象項目名】全文
【補正方法】変更
【補正の内容】
【実用新案登録請求の範囲】
【請求項１】
本件はブックケース形状変更を提案し、ブックケース各面には一切名称が付されておらず、書籍各面に付された名称とブックケースに書籍を納本した時の対応する面をそれぞれ次のように表現し書籍の天と対応するブックケース面を上面部、書籍の地と対応するブックケース面を下面部、書籍の小口と対応するブックケース面を前面部、書籍の背と対応するブックケース面を背面部、下面部を下に背面部に向かってブックケース左面を左側面部ブックケース右面を右側面部とし、本件ブックケースは下面部を下にして背面部に向かって背面部が右側面部から左側面部に向かって傾斜面を有している事を特徴とし上面部と左側面部が接する辺長が上面部と右側面部が接する辺長よりも３分の１背面部の側より短い長さに左側面部上面部背面部三面が作る角があり下面部と左側面部が接する辺長が下面部と右側面部が接する辺長よりも３分の１背面部の側より短い長さに左側面部下面部背面部三面が作る角があり背面部の四隅の角は右側面部から左側面部へ上面部下面部の傾斜を有して斜めの面を持つブックケースである。
【手続補正書】
【提出日】令和2年1月22日(2020.1.22)
【手続補正１】
【補正対象書類名】実用新案登録請求の範囲
【補正対象項目名】全文
【補正方法】変更
【補正の内容】
【実用新案登録請求の範囲】
【請求項１】
上面部、下面部、前面部、背面部、左側面部、及び、右側面部を有するブックケースであって、書籍の天と対応する面を上面部、書籍の地と対応する面を下面部、書籍の小口と対応する面を前面部、書籍の背と対応する面を背面部、下面部を下に背面部に向かって左面を左側面部、下面部を下に背面部に向かって右面を右側面部とし、ブックケースは下面部を下にして背面部に向かって背面部が右側面部から左側面部に向かって傾斜面を有している事を特徴とし、上面部と左側面部が接する辺長が上面部と右側面部が接する辺長よりも３分の１背面部の側より短い長さに左側面部、上面部、及び背面部の三面が作る角があり、下面部と左側面部が接する辺長が下面部と右側面部が接する辺長よりも３分の１背面部の側より短い長さに左側面部、下面部及び背面部の三面が作る角があり、背面部の四隅の角は右側面部から左側面部へ上面部及び下面部に傾斜を有して斜めの背面部を持つブックケース。
(57)【要約】      （修正有）【課題】容易に大量生産ができ、しかも反復使用することが可能な飛沫飛散防止用マスクを提供する。【解決手段】耳掛けとなる穴２を両端に設けた平板状のスポンジ製の本体１の中央裏面に、着用者の鼻孔と口を覆うフィルター３を位置させる。【選択図】図２
0003227108.tif 000002
【実用新案登録請求の範囲】
【請求項１】
耳掛けとなる穴を両端に設けた平板状のスポンジ製の本体の中央裏面に、着用者の鼻孔と口を覆うフィルターを位置させたことを特徴とする飛沫飛散防止用マスク。
【請求項２】
本体はポリウレタンフォームスポンジ製である請求項１記載の飛沫飛散防止用マスク。
【請求項３】
フィルターは不織布製である請求項１または２記載の飛沫飛散防止用マスク。
【考案の詳細な説明】
【技術分野】
【０００１】
本願考案は鼻と口を覆うことにより、着用者の唾、鼻水などの体液からなる飛沫の飛散を防止する飛沫飛散防止用マスクに関する
【背景技術】
【０００２】
体内に侵入して増殖し、発熱や下痢などの重篤な症状を引き起こすウイルスや細菌などの病原体は、飛沫感染、接触感染、空気感染などの経路により人から人へ感染する。
【０００３】
前記のうち、飛沫感染は病原体の保菌者が発する咳やくしゃみ、あるいは会話により病原体が唾、鼻水などの体液を介して外に放出されるものであり、接触感染、空気感染はこの飛沫により引き起こされる。
【０００４】
一方、従来からウイルスや細菌などの病原体の感染を防ぐための衛生用品として、着用者の鼻と口を覆うための衛生マスクが広く使用されていた。
【０００５】
前記の衛生マスクはウイルスや細菌などの通過を防ぐ不織布を着用者の顔面に馴染むようにプリーツ形状や立体形状に一体成形した構成よりなる（特許文献１）。
【先行技術文献】
【特許文献】
【０００６】
【特許文献１】特開２０１７- １２５２８１号公報
【考案の概要】
【考案が解決しようとする課題】
【０００７】
従来技術の衛生マスクは着用者の唾、鼻水などの体液からなる飛沫の飛散を防止するだけでなく、外からのウイルスや細菌などの侵入も防止する作用も有するが、プリーツ形状や立体形状など複雑な構造を要するので製造に手間取る問題があった。
【０００８】
また、使用に伴って汚れるので、常に新品を使用しなくてはならなかった。
【０００９】
本願出願時点において新型コロナウイルス感染症（ＣＯＶＩＤ−１９）が蔓延し、マスクの確保が急務になっているが、前記の現状において製造が間に合わない問題がある。
【課題を解決するための手段】
【００１０】
本願考案の飛沫飛散防止用マスクは前記の問題点に鑑みて創作されたものであり、耳掛けとなる穴を両端に設けた平板状のスポンジ製の本体の中央裏面に、着用者の鼻孔と口を覆うフィルターを位置させたことを特徴とする。
【００１１】
また、請求項２記載の飛沫飛散防止用マスクは、前記の考案において、本体をポリウレタンフォームスポンジ製としたことを特徴とする。
【００１２】
また、請求項３記載の飛沫飛散防止用マスクは、前記の考案において、フィルターを不織布製としたことを特徴とする。
【考案の効果】
【００１３】
本願考案の飛沫飛散防止用マスクは、従来技術の衛生マスクが着用者の唾、鼻水などの体液からなる飛沫の飛散を防止するだけでなく、外からのウイルスや細菌などの侵入も防止する作用を企図していたことを見直して、飛沫の飛散を防止する作用に特化したことを特徴とする。
【００１４】
その結果、マスクの全体を不織布で構成したり、着用者の顔面に馴染むようにプリーツ形状や立体形状など複雑な構造とする必要がなくなり、本体は平板状のスポンジで済み、材料の入手は楽になり、製造手間も軽減され、大量のマスクを容易に供給することが可能となる。
【００１５】
一方、マスクの本体は平板状のスポンジで構成されるので、可撓性と弾性を有し、着用者の顔面に馴染むことが期待でき、また、本体の中央裏面に着用者の鼻孔と口を覆うフィルターが位置するので、このフィルターを例えば不織布製とすれば着用者の唾、鼻水などの体液からなる飛沫の外部への飛散を防止することができる。
【００１６】
また、病原体の感染は病原体が付着した手指で自身の顔を触ってしまうことによって引き起こされることが知られているが、本願考案のマスクを着用することにより、仮に手指で自身の顔を触ってしまってもマスクによりガードされる作用が期待できる。
【００１７】
以上のように本願考案の飛沫飛散防止用マスクは外からのウイルスや細菌などの侵入を完全に防止できないものの、着用者の唾、鼻水などの体液からなる飛沫の飛散を防止することによりウイルスや細菌などが外部に発散されることを防止でき、また、不用意に手指で自身の顔を触ってしまうことも防止できる。
【００１８】
一方、非常に簡単に大量生産することができ、フィルターを交換すれば繰り返し使用できるので、マスクの確保が急務になっている現状においては大変有用である。
【図面の簡単な説明】
【００１９】
【図１】本願考案の飛沫飛散防止用マスクの正面図。
【図２】同上、背面図。
【図３】同上、平面図。
【図４】同上、分解状態の平面図。
【図５】同上、断面図。
【図６】同上、断面図。
【図７】同上、着用時の斜視図。
【考案を実施するための形態】
【００２０】
以下、本願考案の飛沫飛散防止用マスクを添付図面に基づいて説明する。図１は本願考案のマスクの正面図、図２は背面図、図３は平面図である。本願考案のマスクは平板状のスポンジ製であることが特徴であり、本体２の両端に着用者への耳掛けとなる穴２、２を穿設している。
【００２１】
すなわち、本願考案のマスクは製造手間を要するプリーツ形状や立体形状などの複雑な構造ではなく、単に平板状なのでスポンジの平板から切り出すことにより容易に大量生産ができる。ここでは、本体はポリウレタンフォームスポンジ製としているが、これに限られないことはもちろんである。
【００２２】
一方、平板状であっても本体１は可撓性と弾性を有するので、着用時には図６に示すように着用者の顔面に馴染む立体形状に変形する。
【００２３】
図中符号３はフィルターである。フィルター３は着用者の鼻孔と口を覆う大きさのものが本体１の中央裏面に配されるが、ここでは矩形に切った不織布を採用している。
【００２４】
前記フィルター３はスポンジの粗面と不織布の粗面の絡み合いにより、特別な固定手段を用いなくても本体１上に仮止めされるが、着用時には着用者の顔面に押しつけられる本体１と顔面間に挟まれて落下することがない。
【００２５】
以上の構成からなる本願考案の飛沫飛散防止用マスクは本体を洗い、フィルターを交換することにより反復使用することができる。
【符号の説明】
【００２６】
１                本体
２                穴
３                フィルター
【図１】
0003227108.tif 000003
【図２】
0003227108.tif 000004
【図３】
0003227108.tif 000005
【図４】
0003227108.tif 000006
【図５】
0003227108.tif 000007
【図６】
0003227108.tif 000008
【図７】
0003227108.tif 000009
(57)【要約】      （修正有）【課題】マスクにデザイン性やメッセージ性を持たせることができるマスクカバーを提供する。【解決手段】マスクカバー１は左右側部に切り欠き部２が設けられ、マスク３の左右側部に設けられた耳に掛け止めするための耳掛け部４を切り欠き部２を通しマスク３に固定させることにより、容易にマスクカバーを装着できる。マスクカバー１にプリントで様々なデザインを施すことができる。企業名やチーム名をプリントし、メンバーの一体感をだすことができる。また、動物などのかわいいイラストをプリントすることで、子供が喜んでマスク３をつける効果が期待できる。【選択図】図２
0003227859.tif 000002
【実用新案登録請求の範囲】
【請求項１】
マスクの表面側に装着する着脱可能な着せ替えのマスクカバーであって、表面側にデザインが施された任意形状の着せ替えのマスクカバーの左右側部に切り欠き部を設け、前記マスクの左右側部に設けられた耳に掛け止めするための耳掛け部を前記切り欠き部を通し前記マスクに固定させるマスクカバー。
【考案の詳細な説明】
【技術分野】
【０００１】    本考案は、風邪や花粉症の対策として用いられるマスクに装着して使用するマスクカバーに関する。
【背景技術】
【０００２】  従来、マスクは風邪やインフルエンザ、花粉症の対策として広く用いられているが、その多くが白の無地で、デザイン性のあるものは見られなかった。
また、マスクカバーも存在はしたが装着するときにひもで固定したりスナップホックで固定したりボタンで止めたり煩雑なものであった。
【考案の概要】
【考案が解決しようとする課題】
【０００３】  従前マスクはその性質から清潔さが重要視され、その多くが白の無地で、デザイン性のあるものは見られなかった。また材質は不織布のものがほとんどで、長時間使用するとかえって汚れが目立ったり、表面が毛羽だったりする問題もあった。また、子供にとっては自らつけたくなるものではなかった。
また、マスクカバーも存在はしたが装着するときにひもで固定したりスナップホックで固定したりボタンで止めたり煩雑なものであった。
【課題を解決するための手段】
【０００４】  前記課題を解決するために、マスクの表面側に装着する着脱可能な着せ替え用のマスクカバーであって、表面側にデザインが施された任意形状の着せ替えマスクカバーの左右側部に切り欠き部を設け、マスクの左右側部に設けられた耳に掛け止めするための耳掛け部を前記切り欠き部を通し前記マスクに固定させることを特徴とする。
【考案の効果】
【０００５】  以上のように、本考案によれば、マスクカバーの左右側部に切り欠き部を設け、前記マスクの左右側部に設けられた耳に掛け止めするための耳掛け部を前記切り欠き部を通し前記マスクに固定させるため容易にマスクカバーを装着できる。
また、マスクカバーにより白くてデザイン性もなくシンプルなマスクにデザイン性を持たせることができる。カバーのデザインに文字を入れることでメッセージ性を持たせることもできる。また、デザインを子供も喜ぶようなかわいいものにすれば、今までマスク装着を嫌がっていた子供も、自らすすんで装着するようになる。
【図面の簡単な説明】
【０００６】
【図１】本願考案のマスクカバー単体の説明図
【図２】本願考案のマスクカバーをマスクに装着した説明図
【考案を実施するための形態】
【０００７】  上記の問題を解決するため、マスク３の上から装着するマスクカバー１を提供する。このマスクカバー１は、マスクカバー１の左右側部に切り欠き部２を設け、前記マスク３の左右側部に設けられた耳に掛け止めするための耳掛け部４を前記切り欠き部を通し前記マスク３に固定させることにより容易にマスクカバー１を装着できる。
さらにデザイン性の向上や切り込み部の強度を上げる為にプリントされた四角く切断した生地の四隅を縫製し、内側から約１ｃｍのところに縦に刺繍を２列に入れ、その間をカットすることで切り込みを入れる。この切り込みをマスクの耳掛け部４を通して装着する。切り込みの縁を刺繍で留めることによって、生地のほつれを防ぐとともに、切り込み部分をしっかりさせる役割を果たす。また、刺繍糸の色を工夫することによって、デザインの一部にもなる。
【０００８】  マスクカバー１は生地に任意の柄をプリントし、長方形にカットした後、４辺を裏側に織り込んで縫製し、縁をきれいにする。縫製した生地の端から内側約１ｃｍのところに縦に２本刺繍を施し、その間の生地をカットすることで、ほつれにくいスリットにする。
【０００９】  スリットにマスクの耳掛け部４のひもを通してカバーを装着する。マスク３は縦が９ｃｍ程度のものがほとんどなので、スリットの長さはマスクの耳掛け部４のつけ位置を考慮して８ｃｍぐらいが好ましい。
【００１０】  マスクカバー１にするプリントは様々なデザインを施すことができる。企業名やチーム名をプリントし、チームユニフォームのように使用することで、メンバーの一体感をだすことができる。また、動物などのかわいいイラストをプリントすることで、子供が喜んでマスクをつける効果が期待できる。
【００１１】  プリントに限らず、刺繍、ラインストーン、ビーズなどをつけると更に豪華になり、デザイン性も広がり、おしゃれにマスクを装着することができる。
【００１２】  マスクカバー１は長方形を基本とするが、デザインによっては長方形に限らず、他の形でもよい。例えば、四角の生地からライオンの髭部分がはみ出しているようなデザインも可能である。
【００１３】  使用する生地の素材は特に限定されないが、ポリエステルが柔らかく伸縮性があり、通気性もよいため好ましい。
【００１４】  マスクカバーは布製であるため、洗って何度でも使用することができる。
【符号の説明】
【００１５】１  マスクカバー
２  マスクカバーの切り欠き部
３  マスク
４  マスクの耳掛け部
【図１】
0003227859.tif 000003
【図２】
0003227859.tif 000004
(57)【要約】      （修正有）【課題】アスリートとして栄養の偏った食事を改善し、栄養のバランスを摂ると共に、アスリートの栄養学についての意識を高め、パフォーマンスの向上に努めることを可能にするランチプレートを提供する。【解決手段】ランチプレートに食材別の場所を設け、それぞれの場所に食材の名前を記載する。アスリートとしての必須の食材を一つ一つ確認することが可能となり、栄養を考えた食事の組み合わせや、献立の補助をすることができる。【選択図】図１
0003227856.tif 000002
【実用新案登録請求の範囲】
【請求項１】
ランチプレートに食材別の場所を設け、それぞれに食材の名前を記載することにより、アスリートの栄養を考えた食事の組み合わせや、献立の補助ができるところを特徴とするランチプレート
【考案の詳細な説明】
【技術分野】
【０００１】  本考案は、ランチプレートに食材別の場所を設け、それぞれに食材の名前を記載した、ランチプレートに関するものである。
【背景技術】
【０００２】  アスリートに必要な栄養を考えた食事の組み合わせや、献立の補助ができるためのランチプレートが無かった。
【先行技術文献】
【特許文献】
【０００３】
【非特許文献】
【０００４】
【考案の概要】
【考案が解決しようとする課題】
【０００５】  アスリートとして栄養の偏りに気づき、栄養のバランスを計ると共に、アスリートの栄養学についての意識を高めることができる。
【課題を解決するための手段】
【０００６】  本考案は、ランチプレートに食材別の場所を設け、それぞれに食材の名前を記載することにより、アスリートとしての必須の食材を一つ一つ確認することが可能となり、栄養を考えた食事の組み合わせや、献立の補助をすることにより問題点を解決している。
【考案の効果】
【０００７】  記載していないランチプレートに対し、アスリートの栄養学についての意識を高めることができる。
【図面の簡単な説明】
【０００８】
【図１】本考案のアスリートランチプレートの平面図である。
【図２】本考案のアスリートランチプレートの側面図である。
【考案を実施するための形態】
【０００９】  右利きの人が多いため、主食を手前左側に位置させる。その右横におかず、主食の奥に野菜、その右側に果物、その右側に乳製品を位置させる。主食、果物、乳製品の枠は丼又は椀、コップなどをそれぞれ置けるよう、正方形に近い形状とし、それぞれの場所に主食・おかず・野菜・果物・乳製品を日本語と英語の両方の表記で記載しておく。
【実施例】
【００１０】
【産業上の利用可能性】
【００１１】
【符号の説明】
【００１２】
【配列表フリーテキスト】【配列表】
【図１】
0003227856.tif 000003
【図２】
0003227856.tif 000004